(57)【特許請求の範囲】
【請求項１】
ユーザの渡航元における医薬品の名称としての渡航元医薬品名称を取得する取得手段と、
前記ユーザの渡航先の指定を受け付ける渡航先指定手段と、
渡航元における医療情報を記憶した第１医療情報データベースを参照して、前記渡航元医薬品名称で表わされる医薬品が属する第１国際分類を導き出す検索手段と、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定手段と、
前記渡航先医薬品名称を前記ユーザに提示する提示手段と、
を備えたことを特徴とする情報処理システム。
【請求項２】
予め医師の連絡先を記憶する記憶手段と、
前記渡航先医薬品名称を前記記憶手段が記憶した前記連絡先に送信し、前記渡航元医薬品名称と前記渡航先医薬品名称とが対応するか否かを問い合わせる問合手段と、
を更に備えたことを特徴とする請求項１に記載の情報処理システム。
【請求項３】
前記提示手段は、前記渡航先医薬品名称で表わされる医薬品が前記医師の承認済みの医薬品か否かを提示することを特徴とする請求項２に記載の情報処理システム。
【請求項４】
前記提示手段は、
前記渡航先において、前記渡航先医薬品名称で表わされる医薬品を手に入れることのできる場所を示す情報を更に前記ユーザに提示することを特徴とする請求項１、２又は３に記載の情報処理システム。
【請求項５】
前記取得手段は、更に、前記ユーザのアレルギーに関する情報を取得し、
前記提示手段は、前記渡航先医薬品名称で表わされる医薬品が、前記アレルギーの原因物質を含んでいるか否かを判断した上で、前記渡航先医薬品名称を前記ユーザに提示することを特徴とする請求項１乃至４の何れか１項に記載の情報処理システム。
【請求項６】
前記提示手段は、
前記渡航元における標準体重と、前記渡航先における標準体重を比較することにより、前記渡航先医薬品名称で表わされる医薬品の処方量を決定して提示することを特徴とする請求項１乃至５の何れか１項に記載の情報処理システム。
【請求項７】
前記渡航元医薬品名称と前記渡航先医薬品名称との対応履歴を記憶する記憶手段を更に有することを特徴とする請求項１乃至６の何れか１項に記載の情報処理システム。
【請求項８】
前記渡航先医薬品名称に対応付けて、ユーザのコメントを蓄積する蓄積手段を更に有することを特徴とする請求項１乃至７の何れか１項に記載の情報処理システム。
【請求項９】
前記特定手段は、前記渡航先において前記第１国際分類に属する医薬品が存在しない場合には、前記第１国際分類に類似する第２国際分類に属する医薬品の前記渡航先での名称としての渡航先医薬品名称を特定することを特徴とする請求項１乃至８の何れか１項に記載の情報処理システム。
【請求項１０】
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
をコンピュータが実行することを特徴とする情報処理方法。
【請求項１１】
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
をコンピュータに実行させることを特徴とする情報処理プログラム。
【発明の詳細な説明】
【技術分野】
【０００１】
本発明は、医薬情報を検索する技術に関する。
【背景技術】
【０００２】
特許文献１には、渡航者に対して渡航前に医療情報の提供を行なうシステムが開示されている。
【先行技術文献】
【特許文献】
【０００３】
【特許文献１】特開２００７−３０４８５８号公報
【発明の概要】
【発明が解決しようとする課題】
【０００４】
しかしながら、上記従来技術はあくまでも渡航前に医療情報を翻訳するシステムであり、渡航元で処方された医薬品に対応する薬を渡航先で探そうとする際に役に立つものではなかった。
【０００５】
本発明の目的は、上述の課題を解決する技術を提供することにある。
【課題を解決するための手段】
【０００６】
上記目的を達成するため、本発明に係るシステムは、
ユーザの渡航元における医薬品の名称としての渡航元医薬品名称を取得する取得手段と、
前記ユーザの渡航先の指定を受け付ける渡航先指定手段と、
渡航元における医療情報を記憶した第１医療情報データベースを参照して、前記渡航元医薬品名称で表わされる医薬品が属する第１国際分類を導き出す検索手段と、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定手段と、
前記渡航先医薬品名称を前記ユーザに提示する提示手段と、
を備えたことを特徴とする。
【０００７】
上記目的を達成するため、本発明に係る方法は、
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
を備えたことを特徴とする。
【０００８】
上記目的を達成するため、本発明に係る方法は、
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
をコンピュータが実行することを特徴とする。
【発明の効果】
【０００９】
本発明によれば、国内で処方された医薬品に対応する薬を渡航先で手に入れることが容易になる。
【図面の簡単な説明】
【００１０】
【図１】本発明の第１実施形態の構成を示すブロック図である。
【図２】本発明の第２実施形態の構成を示すブロック図である。
【図３】本発明の第２実施形態に係る医療情報テーブルを示す図である。
【図４】本発明の第２実施形態に係る医療情報データベースの構成を示すブロック図である。
【図５】本発明の第２実施形態の内部構成を示すブロック図である。
【図６】本発明の第２実施形態に係る医療情報テーブルを示す図である。
【図７】本発明の第２実施形態に係る医療情報テーブルを示す図である。
【図８】本発明の第２実施形態に係る医療情報テーブルを示す図である。
【図９】本発明の第２実施形態に係るコメントテーブルを示す図である。
【図１０】本発明の第２実施形態に係る処理の流れを示すフローチャートである。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１２】
(第１実施形態)
本発明の第１実施形態としての情報処理システムについて図１に示す。図１において、取得部１０１は、ユーザの渡航元における医薬品の名称としての渡航元医薬品名称を取得する。また、渡航先指定部１０２は、ユーザの渡航先の指定を受け付ける。また、検索部１０３は、第１医療情報データベース１２１を参照して、渡航元医薬品名称で表わされる医薬品が属する国際分類を導き出す。更に、特定部１０４は、渡航先における医療情報に関する第２医療情報データベース１２２を参照して、導き出された国際分類に属する医薬品の、渡航先での名称としての渡航先医薬品名称を特定する。そして、提示部１０５は、渡航先医薬品名称をユーザに提示する。
【００１３】
このような構成により、ユーザは、渡航元医薬品名称と、渡航先とを指定するだけで、渡航先医薬品名称を知ることができ、渡航時の医薬品入手におけるユーザの不安を払拭することができる。
【００１４】
（第２実施形態）
本発明の第２実施形態としての情報処理システム２について図２に示す。図２において、情報処理システム２は、ネットワークを介してユーザ端末２５０に接続される。ユーザ端末２５０の所有者は、Ａ国からＢ国への渡航を行なうものとする。
【００１５】
情報処理システム２は、医療ポータルサイトアプリケーション２１１を備えている。この医療ポータルサイトアプリケーション２１１は、ユーザからユーザＩＤ及びパスワードの入力を受けてログインされると、ユーザ情報２１２を参照して、ユーザ端末２５０に各種情報を提供する。
【００１６】
情報処理システム２は、また、医師連絡先データベース２１３を含んでおり、かかりつけの医師に対してユーザに処方される医薬品情報についての確認を行なうことが可能である。更に、情報処理システム２は、履歴データベース２１４を含んでいる。履歴データベース２１４は、ユーザ毎の処方医薬品履歴や、過去にＡ国医薬品の代用としてＢ国において処方／提示された医薬品としてどのようなものがあるかを示す過去の対応履歴や、Ｂ国医薬品についてのユーザからのレビュー（効き目の違い、処方量の調整、お奨め具合、副作用など）を蓄積している。
【００１７】
更に情報処理システム２は、ネットワーク２７０を介してお薬手帳データベース２９０に接続されている。お薬手帳データベース２９０は、個人の医薬品の調剤情報が管理されている。具体的には、医薬品名、処方量がコードで記憶されている。情報処理システム２は、ユーザ情報２１２を用いて、お薬手帳データベース２９０にアクセスし、処方された医薬品に関する詳しい情報を読み出す。なお、ここではお薬手帳データベース２９０を用いているが、レセプトデータベースのようなデータベースから渡航元の本人の医療情報を取得しても良い。さらには、カルテデータベースのような、患者基本情報（既往歴、手術歴、アレルギー情報等）や臨床検査情報（血圧、血糖値、コレステロール値等）が登録されたデータベースに接続されていることも望ましい。
【００１８】
情報処理システム２は、また、ネットワーク２７０を介して、ＡＴＣ（解剖治療化学分類法）分類やＩＮＮ（国際一般名：International Nonproprietary Name）を定義する国際医薬品情報データベース２２０に接続されている。ＡＴＣ分類とは、ＷＨＯ（World Health Organization）の医薬品統計法共同研究センターによって管理されている医薬品の分類である。この分類は、効果をもたらす部位・器官、および作用能・化学的特徴によって医薬品をグループ分けしたものである。ＩＮＮ（国際一般名：International Nonproprietary Name）とはＷＨＯが設定する、医薬品の一般的な名称である。
【００１９】
情報処理システム２は、更に、ネットワーク２７０を介して、渡航元であるＡ国についてのＡ国医療情報データベース２３０と、渡航先であるＢ国についてのＢ国医療情報データベース２４０とに接続されている。
【００２０】
Ａ国医療情報データベース２３０としては、例えば、日本で販売されている医薬品については、例えばＫＥＧＧ  ＤＲＵＧやＪＡＰＩＣ  医薬品情報データベースというデータベースが存在する。つまりＡ国医療情報データベース２３０には、医薬品名とＡＴＣ分類と国際一般名ＩＮＮとの対応が規定されている。対応表の一例を図３に示す。例えば、医薬品名「トチリ」に対して、ＡＴＣコード「Ｍ０１ＡＥ」とＩＮＮ「Propionic acid derivatives」が対応付けられている。
【００２１】
一方、Ｂ国医療情報データベース２４０として、例えば米国では、ＦＤＡ（Food and Drug Administration）のデータベースが存在する。これを用いれば、ＩＮＮから、米国における医薬品名を導き出すことができる。
【００２２】
図４に示すように、医療情報データベース２３０、２４０は、医薬品情報５０１の他、効能効果５０２、有効成分５０３、標準病名５０４、医療用語辞書５０５、入手可能場所情報５０６、用法用量５０７を含んでいる。
【００２３】
情報処理システム２は、更に、ネットワーク２７０を介して、医師端末２６０に接続されている。情報処理システム２が導き出した渡航先医薬品名についての確認を医師端末２６０に対して依頼する。
【００２４】
図５は、情報処理システム２の内部構成を示す図である。図５において、取得部２０１は、お薬手帳データベース２９０からユーザの渡航元Ａ国における医薬品の名称としての渡航元医薬品名称を取得する。また、渡航先指定部２０２は、ユーザ端末２５０からの渡航先Ｂ国の指定を受け付ける。また、検索部２０３は、渡航元医薬品名称を用いてＡ国医療情報データベース２３０を検索し、渡航元医薬品名称で表わされる医薬品の国際医薬品情報（例えばＡＴＣ分類及び／又はＩＮＮ）を導き出す。更に、国際医薬品情報データベース２２０を参照して、検索部２０３が特定した国際医薬品情報と同一又は類似の複数の（例えば５つの）国際医薬品情報を抽出する。
【００２５】
次に特定部２０４は、抽出した複数の国際医薬品情報について、Ｂ国医療情報データベース２４０を参照して、抽出した複数の国際医薬品情報の何れかに対応する医薬品であって、渡航先で入手可能なものの名称（渡航先医薬品名称）を特定する。例えば、検索部２０３からＩＮＮを受け取り、そのＩＮＮを用いて、Ｂ国医療情報データベース２４０から、Ｂ国での医薬品名を検索する。この時、渡航先医薬品の効能、成分、用法用量などを翻訳する。問い合わせ部２０６は、医師端末２６０にそれらの渡航先医薬品情報を送信し、その渡航先医薬品名称が示す医薬品を服用しても良いか否かを問い合わせる。なお、同一の国際医薬品情報に対応する渡航先医薬品が見つからない場合に、複数の類似医薬品を担当医師に提示して選択させてもよい。問い合わせた結果、承認の可否は、提示部２０５に伝えられ、承認が得られたものについてはその旨を明示してユーザ端末２５０に提示する。承認と同時に注意点等のコメントが送信された場合、そのコメントも履歴ＤＢ２１４に蓄積され、同じ薬を処方／提示されたユーザに対して同コメントを通知することで医師の意見を参照できる。
【００２６】
更に、提示部２０５は、Ｂ国医療情報データベース２４０から入手可能場所情報５０６を導き出してユーザ端末２５０に提示する。
【００２７】
また、渡航先医薬品名で表わされる医薬品が一般用医薬品（ＯＴＣ薬）の場合には、渡航先の地理情報から、その医薬品を入手可能な薬局及び医療機関の所在地を提示する。ユーザが既に渡航している場合には渡航先におけるユーザ所在地から最も近い場所にある医薬品入手場所を提示する。また、提示部２０５は、お薬手帳データベース２９０やユーザ情報２１２を利用して、アレルギー情報などを取得し、特定した渡航先医薬品の禁忌情報や注意情報に、ユーザのアレルギーや既往歴に合致する情報が無いか判断する。
【００２８】
提示部２０５は、更に、渡航先の医薬品処方量に関し、各国の成人標準体重を比較することによって計算を行なう。ユーザの身長・体重と、渡航先における標準体重を比較することにより、渡航先医薬品名称で表わされる医薬品の処方量を決定して提示する。
【００２９】
情報処理システム２は、渡航先健康情報として、現地服薬情報をお薬手帳データベース２９０などに登録、管理してもよい。
【００３０】
図６は、国際医薬品情報データベース２２０とＡ国医療情報データベース２３０を参照して検索部２０３が生成するテーブル６００を示す図である。テーブル６００は、Ａ国における医薬品名と、それに対応するＡＴＣ分類及びＩＮＮと、それに類似するＡＴＣ分類及びＩＮＮとを示している。図７は、特定部２０４においてＢ国医療情報データベース２４０を参照して生成されるテーブル７００を示す図である。テーブル７００は、抽出した複数のＡＴＣ分類及びＩＮＮのいずれかに属するＢ国の医薬品を特定している。例えばＡ国で「トチリ」として処方された医薬品は、ＡＴＣ分類「Ｍ０１ＡＥ」であって、ＩＮＮ「Propionic acid derivatives」であるが、これに同一のＡＴＣ分類に属し、かつＢ国で入手可能な医薬品は存在しない。そこで、類似するＡＴＣ分類「Ｍ０１ＡＥ０１」や「Ｍ０１ＡＥ０２」などを用いてＢ国医療情報データベースを検索し、対応する「ＭＮＯ」「ＶＷＸ」といった名称の医薬品を特定する。図７に示すように、ＡＴＣ分類が完全に一致する医薬品がない場合でも、本実施形態では類似のＡＴＣ分類を用いて医薬品名を検索するため、ユーザにとっての選択肢が増えるという利点がある。なお、成分による検索については、ＡＴＣコードを介さずにＩＮＮを検索する。なお、ＩＮＮに該当する医薬品が渡航先にない場合は、ＡＴＣコードを用いることで適切な代替薬を見つけることができる。
【００３１】
図８は、渡航先Ｂ国における医薬品の入手可能場所に関する情報を示すテーブル５０６である。図８に示すように、医薬品名と入手可能場所名、住所、在庫情報などを対応付けて記憶したテーブル５０６を用いることにより、ユーザは、所望の医薬品を容易に入手することが可能となる。
【００３２】
図９は、渡航先Ｂ国における医薬品に対する医師及び患者のコメントを登録するコメントテーブル９００を示す図である。図２の履歴データベース２１４に含まれるものである。図９に示すように、各医薬品について、問題の有無や、副作用の発生の有無などを蓄積でき、これをポータルサイトのユーザに公開することにより、他のユーザは自分が渡航先で医薬品を選択する際に参考とすることができる。また、Ａ国の医薬品とＢ国の医薬品の対応関係が明確でかつ、医師の承諾も得られている場合には、検索部２０３は、改めて検索を行なうことなく、履歴を用いて、Ｂ国での医薬品を特定すればよい。
【００３３】
図１０は、情報処理システム２における処理の流れを説明するフローチャートである。まずステップＳ１００１において、医療ポータルサイトアプリケーション２１１は、ユーザからのアクセスに応じてポータルサイトへのユーザログインを受け付ける。
【００３４】
次に、ステップＳ１００３において、取得部２０１は、お薬手帳データベース２９０やレセプト情報を取得する。次にステップＳ１００５において、お薬手帳データベース２９０などから、渡航元において処方された医薬品名を取得する。お薬手帳データベース２９０などが無い場合には、検索したい医薬品を選択したり直接入力したりしてもよい。
【００３５】
次に、ステップＳ１００６では、検索部２０３が、取得した医薬品名に対応するＡＴＣ分類又はそれに類似したＡＴＣ分類またはＩＮＮを特定する。そして、ステップＳ１００７において、特定部２０４は、渡航先医薬品データベースにアクセスして、特定したＡＴＣ分類またはＩＮＮに対応する渡航先医薬品名を特定する。
【００３６】
更にステップＳ１００８では、ユーザ情報２１２として登録されていたアレルギー情報と突き合わせ、ユーザが服用して問題がないか確認する。更に、ステップＳ１００９では、問い合わせ部２０６が、予め登録された、或いはユーザに指定された医師に対して、渡航先での医薬品名、成分などを提示し、確認を促す。
【００３７】
承認が得られた場合にはステップＳ１０１０に進み、渡航先での代替医薬品名をユーザに提示する。具体的には、メールやブラウザ表示などの方法で、ユーザに渡航先医薬品名を伝える。この時、成分や疾病名や用法・用量を翻訳してユーザに提示しても良い。
【００３８】
最後に、ステップＳ１０１１において、所定期間後に、情報処理システム２が提示した医薬品の服用結果などを入力するようにユーザに対して促す。入力されたコメント等は、履歴データベース２１４に蓄積される。
【００３９】
以上のように、本実施形態によれば、ユーザのポータルサイトから自由に渡航先医薬品情報の参照・出力が可能となる。渡航先での医薬品処方に履歴が残るため、帰国後の病状変化などに対する対応が容易になる。個人のアレルギーや副作用情報を反映して渡航先での医薬品を決定し、かつ医師の確認が可能なので非常に安全性が高い。
【００４０】
（他の実施形態）
以上、本発明の実施形態について詳述したが、それぞれの実施形態に含まれる別々の特徴を如何様に組み合わせたシステム又は装置も、本発明の範疇に含まれる。
【００４１】
また、本発明は、複数の機器から構成されるシステムに適用しても良いし、単体の装置に適用しても良い。さらに、本発明は、実施形態の機能を実現する情報処理プログラムが、システム或いは装置に直接或いは遠隔から供給される場合にも適用可能である。したがって、本発明の機能をコンピュータで実現するために、コンピュータにインストールされるプログラム、或いはそのプログラムを格納した媒体、そのプログラムをダウンロードさせるＷＷＷサーバも、本発明の範疇に含まれる。
【００４２】
［実施形態の他の表現］
上記の実施形態の一部又は全部は、以下の付記のようにも記載されうるが、以下には限られない。
【００４３】
（付記１）
ユーザの渡航元における医薬品の名称としての渡航元医薬品名称を取得する取得手段と、
前記ユーザの渡航先の指定を受け付ける渡航先指定手段と、
渡航元における医療情報を記憶した第１医療情報データベースを参照して、前記渡航元医薬品名称で表わされる医薬品が属する第１国際分類を導き出す検索手段と、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定手段と、
前記渡航先医薬品名称を前記ユーザに提示する提示手段と、
を備えたことを特徴とする情報処理システム。
（付記２）
予め医師の連絡先を記憶する記憶手段と、
前記渡航先医薬品名称を前記記憶手段が記憶した前記連絡先に送信し、前記渡航元医薬品名称と前記渡航先医薬品名称とが対応するか否かを問い合わせる問合手段と、
を更に備えたことを特徴とする付記１に記載の情報処理システム。
（付記３）
前記提示手段は、前記渡航先医薬品名称で表わされる医薬品が前記医師の承認済みの医薬品か否かを提示することを特徴とする付記２に記載の情報処理システム。
（付記４）
前記提示手段は、
前記渡航先において、前記渡航先医薬品名称で表わされる医薬品を手に入れることのできる場所を示す情報を更に前記ユーザに提示することを特徴とする付記１、２又は３に記載の情報処理システム。
（付記５）
前記取得手段は、更に、前記ユーザのアレルギーに関する情報を取得し、
前記提示手段は、前記渡航先医薬品名称で表わされる医薬品が、前記アレルギーの原因物質を含んでいるか否かを判断した上で、前記渡航先医薬品名称を前記ユーザに提示することを特徴とする付記１乃至４の何れかに記載の情報処理システム。
（付記６）
前記提示手段は、
前記渡航元における標準体重と、前記渡航先における標準体重を比較することにより、前記渡航先医薬品名称で表わされる医薬品の処方量を決定して提示することを特徴とする付記１乃至５の何れかに記載の情報処理システム。
（付記７）
前記渡航元医薬品名称と前記渡航先医薬品名称との対応履歴を記憶する記憶手段を更に有することを特徴とする付記１乃至６の何れかに記載の情報処理システム。
（付記８）
前記渡航先医薬品名称に対応付けて、ユーザのコメントを蓄積する蓄積手段を更に有することを特徴とする付記１乃至７の何れかに記載の情報処理システム。
（付記９）
前記特定手段は、前記渡航先において前記第１国際分類に属する医薬品が存在しない場合には、前記第１国際分類に類似する第２国際分類に属する医薬品の前記渡航先での名称としての渡航先医薬品名称を特定することを特徴とする付記１乃至８の何れかに記載の情報処理システム。
（付記１０）
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
を備えたことを特徴とする情報処理方法。
（付記１１）
ユーザの渡航元における医薬品の名称としての渡航元医薬品名称を取得する取得ステップと、
前記ユーザの渡航先の指定を受け付ける渡航先指定ステップと、
渡航元における医療情報を記憶した第１医療情報データベースを参照して、前記渡航元医薬品名称で表わされる医薬品が属する第１国際分類を導き出す検索ステップと、
前記渡航先における医療情報を記憶した第２医療情報データベースを参照して、前記渡航先で販売されている医薬品の内、前記第１国際分類に属する医薬品の前記渡航先での名称としての渡航先医薬品名称を特定する特定ステップと、
前記渡航先医薬品名称を前記ユーザに提示する提示ステップと、
をコンピュータに実行させることを特徴とする情報処理プログラム。
【図１】
0005549931.tif 000002
【図２】
0005549931.tif 000003
【図３】
0005549931.tif 000004
【図４】
0005549931.tif 000005
【図５】
0005549931.tif 000006
【図６】
0005549931.tif 000007
【図７】
0005549931.tif 000008
【図８】
0005549931.tif 000009
【図９】
0005549931.tif 000010
【図１０】
0005549931.tif 000011